(57)【要約】【課題】外出場所、服装等にあわせて、簡単に好みの装飾体に変更することができ、かつ、装飾体を確実に位置保持し、しかも、簡単な構造から構成されるので、操作性がよく、経済性にも優れた装身具を提供すること。【解決手段】宝石類、装飾模様等が施された装飾体２，３を表裏両面に設けた回転体４と、該回転体４を回転可能に設けると共に、回転体４の裏面に位置する装飾体３（または２）を収納する収納部５を有する装飾基材６とからなる装身具１において、前記回転体４には、線状バネ９が嵌め込まれており、該線状バネ９の長さ方向途中位置を折曲又は湾曲して形成した突起部９ａを、前記回転体４の外面部４ａと内面部４ｂとを貫通して形成された係合窓４ｄを介して、回転体４の外面部４ａ上に突出させ、該突起部９ａを前記収納部５の内面部５ａに形成された係合溝５ｃ（または５ｃ′）に係合して位置保持するようにした装身具である。【選択図】　　　　　図１
2004057492.tif 000002
【特許請求の範囲】
【請求項１】
宝石類、装飾模様等が施された装飾体を表裏両面に設けた回転体と、該回転体を回転可能に設けると共に、回転体の裏面に位置する装飾体を収納する収納部を有する装飾基材とからなる装身具において、前記回転体には、線状バネが嵌め込まれており、該線状バネの長さ方向途中位置を折曲又は湾曲して形成した突起部を、前記回転体の外面部と内面部とを貫通して形成された係合窓を介して、回転体の外面部上に突出させ、該突起部を前記収納部の内面部に形成された係合溝に係合して位置保持するようにしたことを特徴とする装身具。
【請求項２】
前記回転体の外面部に形成された支軸を、前記収納部の内面部に形成された軸受溝に挿着すると共に、前記装飾基材の開口縁部に形成されたかしめ部を内方にかしめ、前記回転体を回転可能に設けたことを特徴とする請求項１に記載の装身具。
【発明の詳細な説明】
【０００１】
【発明の属する技術分野】
本発明は、指輪、ネックレス、ペンダント、耳飾り、ブローチ、ネクタイピン等の装身具に関し、特に、外出場所、服装等にあわせて、所望の装飾体に変更することができる装身具に関するものである。
【０００２】
【従来の技術】
従来より、指輪、ネックレス、ペンダント、耳飾り、ブローチ、ネクタイピン等の装身具おいては、ダイヤモンド、ルビー、サファイヤ等の宝石類や、装飾模様が施された装飾体を、装飾基材に形成された爪部によって挟持固定したり、或いは、装飾基材に形成された台座に固着した装身具であり、外出場所、服装等にあわせて、多種類の指輪、ネックレス、ペンダント、耳飾り、ブローチ、ネクタイピン等の装身具を購入、所持する必要があった。
さらに、好みの装飾基材であっても、それに取り付けられた宝石類等の装飾体に飽きてしまった場合、装飾体を取り換えるには、時間、費用がかかり、容易に行なえるものではなかった。
【０００３】
そこで、前記問題を解決するものとして、例えば、特開平１０−１５１００８号公報に記載された装身具が提案されている。
特開平１０−１５１００８号公報は、一部を切り欠いて開口部を形成したリング状の支持部材と、この支持部材の開口部の一方の端部に形成された一方の軸孔と、前記支持部材の開口部の他方の端部に凹部を形成し、該凹部内に埋設固定された前記一方の軸孔と対応する部位に位置する他方の軸孔およびこの他方の軸孔の外周部に配置された係止片あるいは所定角度で配置された複数個の係合溝を有する軸受部材と、前記支持部材の開口部内に回転可能に取り付けられる少なくとも２面以上の回転体と、この回転体の各面に設けられた宝石や装飾模様等の装飾体と、前記回転体の前記一方の軸孔と対応する部位に該一方の軸孔に回転可能に支持される一体あるいは軸孔を形成して固定した一方の軸と、前記回転体の前記軸受部材と対応する部分に凹部を形成し、該凹部内に埋設固定された前記他方の軸孔に回転可能に支持される他方の軸およびこの他方の軸の外周部に該軸受部材の係止片あるいは複数個の係合溝と係合する所定角度で配置された複数個の係合溝あるいは係止片を有する軸部材とから構成されるもので、回転体を回転させることで、使用者の好みにあわせた装飾体にかえることができるものである。
【０００４】
さらに、特開２０００−８３７１６号公報が提案されている。
特開２０００−８３７１６号公報は、装飾体の収納部を形成した支持部材と、この支持部材の前記収納部に回転可能に取り付けられ、支持部材の表側および裏側に対応する表面および裏面に宝石等の装飾部を形成した装飾体とを備えた装身具であって、回転可能な装飾体を横断する方向に設けた軸孔に、係止部を設けた支軸をはめ込み、かつこの支軸の両端を前記支持部材の収納部に差し渡して固定すると共に、前記支軸を取り付けた装飾体の中空内部に、軸孔から差し込まれた支軸に当接する板バネを取り付け、板バネが支軸の係止部に接した位置で安定的に保持されるという装身具である。
【０００５】
【発明が解決しようとする課題】
しかしながら、特開平１０−１５１００８号公報は、装飾体の変更構造が複雑であり、製造コストがかかると共に、各部材の加工等を正確に行わなければ、回転体の回転が不能になり、装飾体の変更ができなくなるおそれがある。
また、特開２０００−８３７１６号公報は、一対からなる板バネのそれぞれに形成された突出部を対向させて支軸に当接させているので、装飾体の回転によって、板バネに形成された突出部に過大な負荷がかかり、使用経過に伴なって板バネが変形し、装飾体の位置保持ができなくなる可能性を有している。
【０００６】
本発明は、従来の課題点に鑑みて開発したものであり、その目的とするところは、外出場所、服装等にあわせて、簡単に好みの装飾体に変更することができ、かつ、装飾体を確実に位置保持し、しかも、簡単な構造から構成されるので、操作性がよく、経済性にも優れた装身具を提供することにある。
【０００７】
【課題を解決するための手段】
前記の目的を達成するため、請求項１に係る発明は、宝石類、装飾模様等が施された装飾体を表裏両面に設けた回転体と、該回転体を回転可能に設けると共に、回転体の裏面に位置する装飾体を収納する収納部を有する装飾基材とからなる装身具において、前記回転体には、線状バネが嵌め込まれており、該線状バネの長さ方向途中位置を折曲又は湾曲して形成した突起部を、前記回転体の外面部と内面部とを貫通して形成された係合窓を介して、回転体の外面部上に突出させ、該突起部を前記収納部の内面部に形成された係合溝に係合して位置保持するようにした装身具である。
【０００８】
請求項２に係る発明は、前記回転体の外面部に形成された支軸を、前記収納部の内面部に形成された軸受溝に挿着すると共に、前記装飾基材の開口縁部に形成されたかしめ部を内方にかしめ、前記回転体を回転可能に設けた装身具である。
【０００９】
【発明の実施の形態】
本発明における装身具についての一実施形態を図面に基づいて説明する。
また、本実施形態においては、指輪１に適用した場合の一例を図面に示して説明する。
図１、図２に示すように、ダイヤモンド、ルビー、サファイヤ等の宝石類等が施された装飾体２，３を適宜取付手段を介して、表裏面の両面に取り付けた回転体４と、該回転体４を回転可能に設けると共に、回転体４の裏面に位置する装飾体３（または２）を収納するための収納部５を有する装飾基材（本実施形態では、リング部）６とから構成されている。
【００１０】
なお、本実施形態において、回転体４は、平面視楕円形状の枠体から形成されているが、これに限定されるものではなく、収納部５の開口部（取付部位）の形状等を考慮しながら、四角形、三角形、円形等の適宜形状にするとよい。
【００１１】
図２に示すように、前記回転体４の外面部４ａには、支軸７，７が一体又は別体に形成されており、該支軸７，７を前記収納部５の内面部５ａに形成された軸受溝５ｂ，５ｂに挿着した後、図３に示すように、収納部５の開口縁部に形成されたかしめ部８を内方にかしめて、回転体４を回転可能に設けている。
【００１２】
図４に示すように、該回転体４の空間内部には、弾性部材である線状バネ９が嵌め込まれており、該線状バネ９の一端を回転体４の内面部４ｂに形成された止着部４ｃに止着すると共に、該線状バネ９の長さ方向途中位置を折曲又は湾曲して形成された突起部９ａを、前記回転体４の外面部４ａと内面部４ｂとを貫通して形成された係合窓４ｄを介して、外方向へ弾性力を有した状態で、回転体４の外面部４ａ上に突出させている。
【００１３】
図５に示すように、該突起部９ａは、前記収納部５の内面部５ａに形成された係合溝５ｃ（または５ｃ′）と係合して、装飾体２（または３）をリング部６の表面に位置保持しており、また、図６に示すように、裏面に位置する装飾体３（または２）は、収納部５内に収納されている。
【００１４】
該収納部５は、前記したように、回転体４の裏面に位置する装飾体３（または２）を収納するもので、回転体４の形状や、装飾体２，３を取り付けた回転体４の回転に必要な軌道範囲等を考慮して形成する。
さらに、指に、指輪１を装着した状態で、リング部６の表面に位置する装飾体を変更可能にする場合には、装飾体２，３を取り付けた回転体４が回転する際に、指輪１を装着した指に接触しないよう、縦方向への空間（高さ）を有する収納部５に形成するとよい。
【００１５】
リング部６の表面に位置する装飾体２（または３）を装飾体３（または２）に変更する場合は、装飾体２（または３）の突出部位等を回転方向へ押圧すると、線状バネ９の突起部９ａが、傾斜状に形成された係合溝５ｃ（または５ｃ′）の側面部位によって、内方向へ押圧されて係合溝５ｃ（または５ｃ′）から離脱する。
押圧時、一端を止着された線状バネ９が湾曲されるので、突起部９ａの内方向への押圧を可能にしている。
【００１６】
前記回転体４を、本実施形態では、１８０°回転させると、図６に示すように、突起部９ａが前記係合溝５ｃ（または５ｃ′）と対向する位置に形成された係合溝５ｃ′（または５ｃ）に係合して、裏面に位置していた装飾体３（または２）をリング部６の表面に位置保持すると共に、表面に位置していた装飾体２（または３）は、収納部５内に収納される。
【００１７】
次に、本発明における他の実施例について説明する。
図７に示すように、回転体１０の半円形状に形成された空間内部には、弾性部材である線状バネ１１が嵌め込まれており、該線状バネ１１の両端部位を回転体１０の内面部１０ｂに形成された溝部１０ｃにスライド可能に挿着すると共に、該線状バネ１１の長さ方向途中位置（本例では、中間位置）を折曲又は湾曲して形成された突起部１１ａを、前記回転体１０の外面部１０ａと内面部１０ｂとを貫通して形成された係合窓１０ｄを介して、外方向へ弾性力を有した状態で、回転体１０の外面部１０ａ上に突出させている。
【００１８】
該突起部１１ａは、本実施形態で前述したように、収納部５の内面部５ａに形成された係合溝５ｃ（または５ｃ′）と係合して、装飾体２（または３）をリング部６の表面に位置保持し、また、裏面に位置する装飾体３（または２）は、収納部５内に収納される。
【００１９】
リング部６の表面に位置する装飾体２（または３）を装飾体３（または２）に変更する場合は、装飾体２（または３）の突出部位等を回転方向に押圧すると、突起部１１ａが傾斜状に形成された係合溝５ｃ（または５ｃ′）の側面部位によって、内方向へ押圧されて係合溝５ｃ（または５ｃ′）から離脱する。
押圧時、線状バネ１１の両端部が、溝部１０ｃに沿って外方向へ広がり、突起部１１ａの内方向への押圧を可能にしている。
【００２０】
前記回転体１０を、本実施形態では、１８０°回転させると、突起部１１ａが前記係合溝５ｃ（または５ｃ′）と対向する位置に形成された係合溝５ｃ′（または５ｃ）に係合して、裏面に位置していた装飾体３（または２）をリング部６の表面に位置保持すると共に、表面に位置していた装飾体２（または３）は、収納部５内に収納される。
なお、回転体４、１０、及び装飾基材（本実施形態では、リング部）６の形状等は、前記したものに限定されるものではない。
【００２１】
次に、前記した装身具（本実施形態では、指輪）の作用について説明する。
前記したように、回転体４には、線状バネ９が嵌め込まれており、該線状バネ９の長さ方向途中位置を折曲又は湾曲して形成した突起部９ａを、前記回転体４の外面部４ａと内面部４ｂとを貫通して形成された係合窓４ｄを介して、回転体４の外面部４ａ上に突出させ、該突起部９ａを前記収納部５の内面部５ａに形成した係合溝５ｃ（または５ｃ′）に係合して位置保持する構造であり、前記回転体４を介して、容易に表面に位置する装飾体２（または３）と、裏面に位置する装飾体３（または２）とを反転させて、リング部６の表面に位置する装飾体を変更することができると共に、回転時等における回転体４の脱落を防止し、かつ、不用意に回転することなく、確実に装飾体の位置保持を可能にしている。
また、前記したように、弾性部材として線状バネ９を採用しているので、容易に所望の形状に成形することができると共に、回転体４への嵌め込み作業を容易に行なうことができる。
さらに、前記係合溝５ｃ，５ｃ′と好適に係合することを可能にしているので、操作性を向上させている。
【００２２】
また、前記したように、本発明の装身具における装飾体の変更構造は、簡単な構造からなるので、操作性がよく、しかも、その構造から容易にメンテナンスを行なうことができる。
【００２３】
さらに、本発明の装身具における装飾体の変更構造は、本実施形態において説明した指輪１のほか、ネックレス、ペンダント、耳飾り、ブローチ、ネクタイピン等の装身具にも適用することができる。
【００２４】
【発明の効果】
以上のことから明らかなように、本発明によると、指輪、ネックレス、ペンダント、耳飾り、ブローチ、ネクタイピン等の装身具において、外出場所、服装等にあわせて、簡単に好みの装飾体に変更することができ、かつ、装飾体の変更時等に、回転体が脱落することなく、確実に装飾体を位置保持すると共に、しかも、簡単な構造から構成されるので、操作性がよく、メンテナンス等も容易に行うことが可能となった。
【図面の簡単な説明】
【図１】本発明を指輪に適用した場合の一例を示した斜視図である。
【図２】図１において、装飾基材（リング部）への回転体取付前の一部切欠き斜視図である。
【図３】図１におけるＡ−Ａ線断面図である。
【図４】回転体の平面図である。
【図５】線状バネの突起部と、係合溝との係合状態を示した説明図である。
【図６】図１におけるＢ−Ｂ線断面図である。
【図７】回転体の他例を示した平面図である。
【符号の説明】
１　指輪
２，３　装飾体
４　回転体
４ａ　外面部
４ｂ　内面部
４ｄ　係合窓
５　収納部
５ａ　内面部
５ｂ　軸受溝
５ｃ，５ｃ′　係合溝
６　装飾基材（リング部）
７　支軸
８　かしめ部
９　線状バネ
９ａ　突起部
【図１】
2004057492.tif 000003
【図２】
2004057492.tif 000004
【図３】
2004057492.tif 000005
【図４】
2004057492.tif 000006
【図５】
2004057492.tif 000007
【図６】
2004057492.tif 000008
【図７】
2004057492.tif 000009